(57)【特許請求の範囲】
【請求項１】
所定の搬入エリア内に搬入される医療品を特定する医療品特定手段と、
前記搬入エリア内に搬入が予定されている医療品のリストを予め通信ネットワークを介して受信する通信手段と、
前記通信手段が受信した搬入対象の医療品のリストを記憶する記憶手段と、
前記搬入対象の医療品のリストの変更を登録する変更手段と、
前記医療品特定手段により特定された医療品が、前記搬入エリア内に搬入が予定されている医療品のリストに含まれるか否かを判別する判別手段と、
前記判別手段の判別結果に基づいて、搬入が予定されている医療品のリストに含まれていない医療品が搬入された場合に、当該搬入が予定されていない医療品を特定する情報及び当該医療品が搬入された旨を告知する告知手段と、を備え、
前記告知手段は、前記搬入対象の医療品のリストが、前記変更手段により変更された場合には、搬入すべき医療品が変更されたことを示す表示とともに、変更後の医療品と変更前の医療品との差が明確になるように表示する医療品管理装置。
【請求項２】
前記搬入が予定されている医療品は、当該医療品を用いるべき患者に対応づけられている、
請求項１記載の医療品管理装置。
【請求項３】
前記告知手段は、搬入が予定されていない医療品を特定する情報及び当該医療品が搬入された旨を表示する表示手段を備えた、
請求項１又は請求項２記載の医療品管理装置。
【請求項４】
所定の搬入エリア内に搬入が予定されているとともに患者に対応づけられた医療品のリストを記憶するリスト記憶手段と、前記リストを通信ネットワークを介して送信するリスト送信手段と、を有するサーバと、
前記リストを予め通信ネットワークを介して受信するリスト受信手段と、前記搬入エリア内に搬入される医療品を特定する医療品特定手段と、前記搬入エリア内に搬入が予定されている医療品のリストを予め通信ネットワークを介して受信する通信手段と、前記通信手段が受信した搬入対象の医療品のリストを記憶する記憶手段と、前記搬入対象の医療品のリストの変更を登録する変更手段と、前記リストに基づいて前記医療品特定手段により特定された医療品が、前記搬入エリア内に搬入が予定されている医療品のリストに含まれるか否かを判別する判別手段と、前記判別手段の判別結果に基づいて、搬入が予定されている医療品のリストに含まれていない医療品が搬入された場合に、当該搬入が予定されていない医療品を特定する情報及び当該医療品が搬入された旨を告知する告知手段と、を備え、前記告知手段は、前記搬入対象の医療品のリストが、前記変更手段により変更された場合には、搬入すべき医療品が変更されたことを示す表示とともに、変更後の医療品と変更前の医療品との差が明確になるように表示する医療品管理装置と、
を備えた医療品管理システム。
【請求項５】
通信ネットワークを介して受信した、所定の搬入エリア内に搬入が予定されて患者に対応づけられた医療品のリストを記憶する記憶装置を有する医療品管理装置をコンピュータにより制御するための制御プログラムであって、
前記コンピュータを、
所定の搬入エリア内に搬入される医療品を特定する医療品特定手段と、
前記搬入エリア内に搬入が予定されている医療品のリストを予め通信ネットワークを介して受信する通信手段と、
前記通信手段が受信した搬入対象の医療品のリストを記憶する記憶手段と、
前記搬入対象の医療品のリストの変更を登録する変更手段と、
前記医療品特定手段により特定された医療品が、前記搬入エリア内に搬入が予定されている医療品のリストに含まれるか否かを判別する判別手段と、
前記判別手段の判別結果に基づいて、搬入が予定されている医療品のリストに含まれていない医療品が搬入された場合に、当該搬入が予定されていない医療品を特定する情報及び当該医療品が搬入された旨を告知する告知手段と、して機能させ、
前記告知手段は、前記搬入対象の医療品のリストが、前記変更手段により変更された場合には、搬入すべき医療品が変更されたことを示す表示とともに、変更後の医療品と変更前の医療品との差が明確になるように表示させる制御プログラム。
【発明の詳細な説明】
【技術分野】
【０００１】
本発明の実施形態は、医療品管理装置、医療品管理システム及び制御プログラムに関する。
【背景技術】
【０００２】
従来、病院内において、医薬品、医療用品等の医療品の管理を行う管理システムが提案されている（例えば、特許文献１参照）。
上記従来の管理システムは、医薬品等の在庫管理をその主たる目的としていた。
【発明の概要】
【発明が解決しようとする課題】
【０００３】
したがって、医薬品等を病院内で使用するに際して、その使用の適否や手術等を行う医薬品等の使用場所への移動（搬送）の適否等の適否の管理については、医師や、看護師等の担当者が行うものとなっていた。
【課題を解決するための手段】
【０００４】
実施形態の医療品管理装置の医療品特定手段は、所定の搬入エリア内に搬入される医療品を特定する。
通信手段は、前記搬入エリア内に搬入が予定されている医療品のリストを予め通信ネットワークを介して受信する。
記憶手段は、前記通信手段が受信した搬入対象の医療品のリストを記憶する。
変更手段は、前記搬入対象の医療品のリストの変更を登録する。
これにより、判別手段は、医療品特定手段により特定された医療品が、搬入エリア内に搬入が予定されている医療品のリストに含まれるか否かを判別する。
告知手段は、判別手段の判別結果に基づいて、搬入が予定されている医療品のリストに含まれていない医療品が搬入された場合に、当該搬入が予定されていない医療品を特定する情報及び当該医療品が搬入された旨を告知する。
そして、前記告知手段は、前記搬入対象の医療品のリストが、前記変更手段により変更された場合には、搬入すべき医療品が変更されたことを示す表示とともに、変更後の医療品と変更前の医療品との差が明確になるように表示する。
【図面の簡単な説明】
【０００５】
【図１】図１は、実施形態の医療品管理システムの概要構成ブロック図である。
【図２】図２は、ハンディターミナルの概要構成ブロック図である。
【図３】図３は、ゲート装置の概要構成図である。
【図４】図４は、ゲート装置の外観図である。
【図５】図５は、第１実施形態の処理タイミングチャートである。
【図６】図６は、ゲート装置における表示例の説明図である。
【図７】図７は、ゲート装置のディスプレイの表示画面における警告画面の表示例の一例を示す図である。
【図８】図８は、搬入対象の医療品を追加する場合のハンディターミナルの表示画面の一例の説明図である。
【図９】図９は、第２実施形態の処理タイミングチャートである。
【発明を実施するための形態】
【０００６】
次に図面を参照して、実施形態について詳細に説明する。
［１］第１実施形態
図１は、実施形態の医療品管理システムの概要構成ブロック図である。
医療品管理システム１０は、大別すると、電子カルテ（データベース）を管理する電子カルテ管理サーバ１１と、医師等が電子カルテに対する入力、読出操作を行うための複数の情報端末装置１２と、患者の腕等に装着されるとともに、患者のＩＤ等の患者を特定するための情報がコードシンボル化されて表示された患者用タグ１３と、看護師等がそれぞれ携帯し、患者を特定するための患者ＩＤを含む各種情報の入力や患者に対して用いるべき医療品の確認を行うための情報を提示する複数のハンディターミナル１４と、ハンディターミナル１４を無線通信ネットワーク１５及び通信ネットワーク１６を介して電子カルテ管理サーバ１１に接続するために病院内に配置された複数のアクセスポイント１７と、診療室、治療室あるいは手術室等の医療品を用いる部屋（搬入エリアＡＲ）の入口に設けられ、当該部屋内（搬入エリアＡＲ内）に搬入される医療品を特定するとともに、当該部屋に搬入すべき医療品に関する情報を提示するゲート装置１８と、を備えている。
【０００７】
ここで、ゲート装置１８は、医療品管理装置を構成しており、搬入エリアＡＲ内に搬入される医療品ＭＧの適否等の情報を提示する。
本願において、医療品とは、薬事法に規定する医薬品、医薬部外品、輸血用の血液、手術に用いられる手術用具、包帯などの衛生用品、医療機器等の医療に用いられる各種物品を含む概念である。
【０００８】
電子カルテ管理サーバ１１は、図示しないＭＰＵ、ＲＯＭ、ＲＡＭ、電子カルテデータベース（ＤＢ）を格納した外部記憶装置及び通信インタフェースを含む情報処理装置（ワークステーション、コンピュータ）として構成されている。
【０００９】
情報端末装置１２は、図示しないＭＰＵ、ＲＯＭ、ＲＡＭ、外部記憶装置及び通信インタフェースを含む情報処理装置（ワークステーション、コンピュータ）として構成された情報端末装置本体と、各種情報を表示するディスプレイと、各種操作を行う操作端末と、各種情報の印刷出力を行うプリンタと、を備えている。
通信ネットワーク１６としては、インターネット等の公衆通信ネットワークの他、構内ＬＡＮ等で構成されていてもよい。あるいはインターネットと構内ＬＡＮとの組み合わせのように複数の通信ネットワークが組み合わせられて構築されていてもよい。
【００１０】
図２は、ハンディターミナルの概要構成ブロック図である。
ハンディターミナル１４は、患者用タグ１３等から二次元バーコード等のコードシンボルを読み取るコードシンボル読取装置（コードシンボル読取手段）としてのスキャナ（カメラ、撮像装置）３１と、各種情報を表示するためのディスプレイ３２と、ディスプレイ３２と一体となってタッチパネルディスプレイを構成し、ユーザが各種操作を行うためのタッチパネル３３と、アクセスポイント１７との間、あるいは、ゲート装置１８との間で無線通信インタフェース動作を行う無線通信インタフェース部（ＩＦ）３４と、を備えている。
【００１１】
さらにハンディターミナル１４は、ハンディターミナル１４全体の制御を行うＭＰＵ３５と、制御プログラム等の各種データを不揮発的に記憶するＲＯＭ３６と、ワーキングエリアとして用いられ、各種データを一時的に記憶するＲＡＭ３７と、ファームウェア及び各種の設定データ等を不揮発的、かつ、更新可能に記憶するフラッシュＲＯＭ３８と、図示しないバックアップ電源が接続され、ハンディターミナル１４の電源がオフ状態であっても現在時刻をカウントし続け、電源がオン状態においてＭＰＵ３５に対して現在時刻データを出力可能なリアルタイムクロック（ＲＴＣ）３９と、スキャナ３１、ディスプレイ３２及びタッチパネル３３との間でインタフェース動作を行う入出力インタフェース部（Ｉ／Ｏ）４０と、を備えている。
【００１２】
ここで、ＭＰＵ３５と、ＲＯＭ３６、ＲＡＭ３７、フラッシュＲＯＭ３８、リアルタイムクロック３９及び入出力インタフェース部（Ｉ／Ｏ）４０と、は、バス４１を介して接続されている。
また、ＭＰＵ３５は、制御手段として機能し、患者用タグ１３から読み取った患者ＩＤを用いて、電子カルテ管理サーバ１１に問い合わせを行い、患者用タグ１３で特定する患者に用いる医療品ＭＧを特定する情報を電子カルテ管理サーバ１１から取得する。
【００１３】
次にゲート装置１８の概要構成について説明する。
図３は、ゲート装置の概要構成図である。
図４は、ゲート装置の外観図である。
ゲート装置１８の装置本体１８Ａ内には、ゲート装置１８全体を制御するコントローラ５１と、コントローラ５１の制御下で各種情報を表示するディスプレイ５２と、医療品ＭＧに予め設けられたＩＣタグ（ＲＦＩＤタグ）ＴＧから当該医療品を特定するための情報を読み出すＩＣタグリーダ５３と、アクセスポイント１７との間、あるいは、ハンディターミナル１４との間、の無線通信インタフェース動作を行う無線通信インタフェース部（ＩＦ）５４と、コントローラ５１とディスプレイ５２、ＩＣタグリーダ５３及び無線通信インタフェース部５４とを接続する入出力インタフェース部（Ｉ／Ｏ）５５と、備えている。
【００１４】
上記構成において、コントローラ５１は、図示しないＭＰＵ、ＲＯＭ、ＲＡＭ、外部記憶装置を含む情報処理装置（コンピュータ）として構成されており、ＭＰＵはＲＯＭに格納された制御プログラムにしたがって、ＲＡＭをワークエリアとして用いつつ、フラッシュＲＯＭ等で構成された外部記憶装置にバックアップが必要なデータ等を格納して処理を行う。
【００１５】
また、装置本体１８Ａの下部には、脚部１８Ｂが設けられ、部屋等の搬入エリアＡＲの入口に自立設置可能となっている。さらに装置本体１８Ａの上部には、無線通信インタフェース部５４が接続されている外部アンテナ５４Ａが設けられている。
【００１６】
次に第１実施形態の動作を説明する。
図５は、第１実施形態の処理タイミングチャートである。
まず医師が情報端末装置１２を介して、所望の治療・診療内容に対応する指示（手術指示、処置指示、検査指示等）に対応する指示データを、患者を特定するための患者ＩＤに対応づけて電子カルテ管理サーバ１１の電子カルテデータベースに登録する（ステップＳ１１）。
【００１７】
これにより電子カルテ管理サーバ１１は、指示データを患者ＩＤに対応づけて登録することとなる。
ここで、指示データとしては、例えば、手術を行う場合には、手術に用いられる医薬品、縫合糸、ガーゼ等に代表される医療用品等の医療品の種類、医療品の数量、手術に用いる医療機器の種類等が含まれている。
【００１８】
続いて電子カルテ管理サーバ１１は、電子カルテデータベースに登録されている指示データの内、ハンディターミナル１４あるいはゲート装置１８にデータ配信対象のデータが存在するか否かを判別する（ステップＳ１２）。
ステップＳ１２の判別において、電子カルテデータベースに登録されている指示データのうち、ハンディターミナル１４あるいはゲート装置１８にデータ配信すべき指示データが存在しない場合には（ステップＳ１２；Ｎｏ）、待機状態となる。
【００１９】
ステップＳ１２の判別において、電子カルテデータベースに登録されているデータのうち、ハンディターミナル１４あるいはゲート装置１８にデータ配信すべきデータが存在する場合には（ステップＳ１２；Ｙｅｓ）、電子カルテ管理サーバ１１は、通信ネットワーク１６及びアクセスポイント１７を介してハンディターミナル１４あるいはゲート装置１８に新規データ（リスト）の配信を行う（ステップＳ１３）。なお、ハンディターミナル１４に配信した場合の表示画面については、図８を参照。
【００２０】
この結果、ゲート装置１８は、当該ゲート装置１８が対応する搬入エリアＡＲへ搬入予定の医療品のリストを受信することとなる（ステップＳ１４）。
リストを受信したゲート装置１８は、自己が対応する搬入エリアＡＲに進入するＩＣタグＴＧが検出されたか否か、すなわち、ＩＣタグＴＧが付加された医療品ＭＧが自己が対応する搬入エリアＡＲ内に搬入されたか否かを判別する（ステップＳ１５）。
【００２１】
ステップＳ１５の判別において、ゲート装置１８は、自己が対応する搬入エリアＡＲにＲＦＩＤが付加された医療品が搬入されていない場合には（ステップＳ１５；Ｎｏ）、待機状態となる。
ステップＳ１５の判別において、ゲート装置１８は、自己が対応する搬入エリアＡＲ内にＩＣタグＴＧが付加された医療品ＭＧが搬入された場合には（ステップＳ１５；Ｙｅｓ）、ステップＳ１４で受信したリストと比較する（ステップＳ１６）。
続いてゲート装置１８は、搬入された医療品がリストに含まれている医療品であるか否かを判別する（ステップＳ１７）。
【００２２】
ステップＳ１７の判別において、搬入エリアＡＲ内に搬入された医療品がリストに含まれている医療品である場合には（ステップＳ１７；Ｙｅｓ）、処理を再びステップＳ１５に移行して同様の処理を行う。
ステップＳ１７の判別において、搬入エリアＡＲ内に搬入された医療品がリストに含まれている医療品ではない場合には（ステップＳ１７；Ｎｏ）、当該医療品を特定するための情報（医療品名、型番等）を表示するとともに、搬入予定にない医療品が搬入されている旨の警告画面をディスプレイ５２の表示画面に表示して、搬入作業者に告知する（ステップＳ１８）。
【００２３】
図６は、ゲート装置における表示例の説明図である。
ゲート装置１８のディスプレイ５２の表示画面５２Ａには、図６に示すように、患者の氏名、性別、医療処置内容（図６の場合、「循環器科：手術」）、手術予定日時、医療品名及び搬入予定数量が表示される。さらに必要に応じて、搬入予定数量に対する未搬入数量を表示するようにしてもよい。
ここで、搬入予定にない（リストにない）医療品が搬入された場合には、当該医療品を特定する情報とともに、警告が表示される。
【００２４】
図７は、ゲート装置のディスプレイの表示画面における警告画面の表示例の一例を示す図である。
図７は、指示データにより指示された搬入予定の輸血用血液の血液型がＡ型Ｒｈ−であった場合に、Ａ型Ｒｈ＋の輸血用血液が搬入された場合の表示例である。
図７に示すように、ディスプレイ５２の表示画面５２Ａには、警告画面として、搬入する際にＩＣタグＴＧにより特定され、かつ、搬入予定（リスト）にないＡ型Ｒｈ＋の輸血用血液が搬入された旨の注意喚起を行うためのメッセージＭＳＧを表示している。
【００２５】
この結果、搬入作業者は、当該搬入エリアに搬入すべきではない（あるいは搬入することが好ましくない）医療品が含まれていることを容易に知ることができ、搬入時点で警告がなされるため、誤って患者に用いられることもない。
この場合において、医療品の種類ばかりでなく、必要に応じて、型番や搬入する数量についても、不足数、過剰数を含めて表示することにより、不足分の迅速な補充等、容易に対応が可能となる。
【００２６】
また警告表示の他の態様としては、搬入予定にない医療品（本例では輸血用血液）の表示が点滅表示されたり、色が変更されたり、枠で囲って表示したりする等が挙げられる。さらに、警告表示ばかりでなく、ブザー音を鳴らしたり、ランプを点滅させたりするようなことも可能である。
【００２７】
図８は、搬入対象の医療品を追加する場合のハンディターミナルの表示画面の一例の説明図である。
また、搬入対象の医療品を現場で追加する場合には、図８に示すように、追加すべき医療品のリストを作成し（図８は、生食１０００ｍｌ及び輸血用血液Ａ型Ｒｈ−４００ｍｌの追加の場合）、図５に示したように、ハンディターミナル１４を用いてオペレータ（医師、看護師等）が追加対象の医療品に対応するデータを入力し（ステップＳ１９）、ゲート装置１８に対して登録する（ステップＳ２０）ことにより、予め指定された医療品と同様に、追加した医療品についても取り扱うことが可能となる。
また、搬入対象の医療品がその後の指示により変更された場合には、搬入すべき医療品が変更されたことを示す表示とともに、変更後の医療品と変更前の医療品との差が明確になるように表示を行う。具体的には、変更前の医療品には、二重取消線を重畳表示し、変更前の医療品から変更後の医療品に向かう矢印とともに、変更後の医療品を表示する。
また、搬入対象の医療品が搬入不要とされ、削除された場合には、医療品の搬入が不要となった旨が明確になるように表示を行う。具体的には、搬入が不要となった医療品については、二重取消線を重畳表示する。
【００２８】
以上の説明のように、本第１実施形態によれば、搬入エリアに搬入される医療品を特定し、搬入が予定されている医療品（搬入リストに含まれている医療品）と搬入が予定されていない医療品を識別して、搬入の適否を表示するので、確実に搬入すべき医療品を確認できるとともに、誤って搬入したり、搬入数の過不足が発生したりした場合についても迅速に対応することが可能となる。
【００２９】
［２］第２実施形態
以上の第１実施形態の説明においては、搬入予定の医療品のリストについては、電子カルテ管理サーバ１１から自動的に配信する構成を採っていたが、本第２実施形態は、患者を特定する情報（例えば、患者ＩＤ）をゲート装置１８にハンディターミナル１４から登録することにより、ゲート装置１８が電子カルテ管理サーバ１１から自動的に取得する場合の実施形態である。
このような構成を採ることにより、搬入エリアＡＲが予め定められないような場合でも、搬入エリアが確定した時点で同様に医療品の搬入を行うことができるのである。
【００３０】
図９は、第２実施形態の処理タイミングチャートである。
まずハンディターミナル１４のオペレータである看護師等がスキャナ３１を介して患者が身につけている患者用タグ１３から患者ＩＤを読み取る（ステップＳ２１）。
これによりハンディターミナル１４のＭＰＵ３５は、無線通信インタフェース部３４を介して、ゲート装置１８に患者ＩＤを送信する（ステップＳ２２）。
これによりゲート装置１８のコントローラ５１は、無線通信インタフェース部５４を介して、電子カルテ管理サーバ１１に対して患者ＩＤを用いて問い合わせを行う（ステップＳ２３）。
【００３１】
これにより電子カルテ管理サーバ１１は、電子カルテデータベースに登録されているデータのうち、当該問い合わせの患者ＩＤに対応するデータ配信すべきデータが存在する場合には、電子カルテ管理サーバ１１は、通信ネットワーク１６及びアクセスポイント１７を介して当該問い合わせを行ったゲート装置１８にデータ（リスト）の配信を行う（ステップＳ２４）。
【００３２】
この結果、ゲート装置１８は、当該ゲート装置１８が対応する搬入エリアＡＲへ搬入予定の医療品のリストを受信する（ステップＳ１４）。
そして、リストの受信以降は、ゲート装置１８のコントローラ５１は、自己が対応する搬入エリアＡＲに進入するＩＣタグＴＧが検出されたか否か、すなわち、ＩＣタグＴＧが付加された医療品ＭＧが自己が対応する搬入エリアＡＲ内に搬入されたか否かを判別し（ステップＳ１５）、自己が対応する搬入エリアＡＲ内にＩＣタグＴＧが付加された医療品ＭＧが搬入された場合には（ステップＳ１５；Ｙｅｓ）、ステップＳ１４で受信したリストと比較する（ステップＳ１６）。
【００３３】
続いてゲート装置１８は、搬入された医療品がリストに含まれている医療品であるか否かを判別し（ステップＳ１７）、搬入エリアＡＲ内に搬入された医療品がリストに含まれている医療品である場合には（ステップＳ１７；Ｙｅｓ）、処理を再びステップＳ１５に移行して同様の処理を行い、搬入エリアＡＲ内に搬入された医療品がリストに含まれている医療品ではない場合には（ステップＳ１７；Ｎｏ）、当該医療品を特定するための情報（医療品名、型番等）を表示するとともに、搬入予定にない医療品が搬入されている旨の警告画面をディスプレイ５２の表示画面に表示して、搬入作業者に告知する（ステップＳ１８）。
【００３４】
以上の説明のように、本第２実施形態によれば、搬入エリアＡＲが予め定められないような場合でも、搬入エリアが確定した時点で同様に医療品の搬入を行うことができ、搬入エリアに搬入される医療品を特定し、搬入が予定されている医療品（搬入リストに含まれている医療品）と搬入が予定されていない医療品を識別して、搬入の適否を表示するので、確実に搬入すべき医療品を確認できるとともに、誤って搬入したり、搬入数の過不足が発生したりした場合についても迅速に対応することが可能となる。
【００３５】
［３］実施形態の変形例
以上の説明においては、搬入を予定していない医療品が搬入された場合に、表示、ブザーあるいはランプにより、当該旨を警告する場合について説明したが、音声により警告を行うようにすることも可能である。
この場合において、警告内容（搬入すべきでない医療品の搬入、搬入対象の医療品の数量不足など）に応じて、音声を変更（例えば、女声を男声にする等）するようにしてもよい。
【００３６】
実施形態の医療品管理装置の他の第１態様においては、所定の搬入エリア（部屋、倉庫、手術室等）内に搬入される医療品を特定する医療品特定手段（ＩＣタグリーダ、ＲＦＩＤリーダ、スキャナ）と、前記医療品特定手段により特定された医療品が、前記搬入エリア内に搬入が予定されている医療品に含まれるか否かを判別する判別手段（コントローラ、マイクロプロセッサ）と、前記判別手段の判別結果に基づいて、搬入が予定されている医療品に含まれていない医療品が搬入された場合に、当該搬入が予定されていない医療品を特定する情報及び当該医療品が搬入された旨を告知する告知手段（表示装置、ブザー発生装置、ランプ、音声出力装置）と、を備えるようにしてもよい。
【００３７】
実施形態の医療品管理装置の他の第２態様においては、前記搬入が予定されている医療品は、当該医療品を用いるべき患者（患者特定情報、患者ＩＤ）に対応づけられているようにしてもよい。
【００３８】
実施形態の医療品管理装置の他の第３態様においては、前記告知手段は、搬入が予定されていない医療品を特定する情報及び当該医療品が搬入された旨を表示する表示手段（表示装置、ディスプレイ）を備えるようにしてもよい。
【００３９】
実施形態の医療品管理装置の他の第４態様においては、前記搬入エリア内に搬入が予定されている医療品のリストを予め通信ネットワークを介して受信する通信手段（無線通信装置、有線通信装置、無線通信インタフェース、有線通信インタフェース）と、前記受信したリストを記憶する記憶手段（メモリ、ハードディスク、外部記憶装置）と、を備え、前記判別手段（コントローラ、マイクロプロセッサ）は、前記記憶手段に記憶された前記リストに基づいて、前記判別を行うようにしてもよい。
【００４０】
実施形態の医療品管理システムの他の第１態様においては、所定の搬入エリア内に搬入が予定されているとともに患者に対応づけられた医療品のリストを記憶するリスト記憶手段と、前記リストを通信ネットワークを介して送信するリスト送信手段と、を有するサーバ（情報処理装置）と、前記リストを予め通信ネットワークを介して受信するリスト受信手段（通信インタフェース、通信装置［有線、無線］）と、前記搬入エリア内に搬入される医療品を特定する医療品特定手段と、前記リストに基づいて前記医療品特定手段により特定された医療品が、前記搬入エリア内に搬入が予定されている医療品に含まれるか否かを判別する判別手段（コントローラ、マイクロプロセッサ）と、前記判別手段の判別結果に基づいて、搬入が予定されている医療品に含まれていない医療品が搬入された場合に、当該搬入が予定されていない医療品を特定する情報及び当該医療品が搬入された旨を告知する告知手段（表示装置、ブザー発生装置、ランプ、音声出力装置）と、を有する医療品管理装置（コンピュータ、情報処理装置、情報処理システム）と、を備えるようにしてもよい。
【００４１】
また、実施形態の医療品管理装置で実行される制御プログラムは、通信ネットワークを介して受信した、所定の搬入エリア内に搬入が予定されて患者に対応づけられた医療品のリストを記憶する記憶装置を有する医療品管理装置をコンピュータにより制御するための制御プログラムであって、前記コンピュータを、所定の搬入エリア内に搬入される医療品を特定する医療品特定手段と、前記医療品特定手段により特定された医療品が、前記搬入エリア内に搬入が予定されている医療品に含まれるか否かを判別する判別手段と、前記判別手段の判別結果に基づいて、搬入が予定されている医療品に含まれていない医療品が搬入された場合に、当該搬入が予定されていない医療品を特定する情報及び当該医療品が搬入された旨を告知する告知手段と、して機能させるようにしてもよい。
【００４２】
本実施形態の医療品管理装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４３】
また、本実施形態の医療品管理装置で実行される制御プログラムを、インターネット等のネットワークに接続されたコンピュータ上に格納し、ネットワーク経由でダウンロードさせることにより提供するように構成してもよい。また、本実施形態の検査支援装置で実行される制御プログラムをインターネット等のネットワーク経由で提供または配布するように構成してもよい。
また、本実施形態の医療品管理装置の制御プログラムを、ＲＯＭ等に予め組み込んで提供するように構成してもよい。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０    医療品管理システム
１１    電子カルテ管理サーバ
１２    情報端末装置
１３    患者用タグ
１４    ハンディターミナル
１５    無線通信ネットワーク
１６    通信ネットワーク
１７    アクセスポイント
１８    ゲート装置
１８Ａ  装置本体
１８Ｂ  脚部
３１    スキャナ
３２    ディスプレイ
３３    タッチパネル
３４    無線通信インタフェース部
３５    ＭＰＵ
３６    ＲＯＭ
３７    ＲＡＭ
３８  フラッシュＲＯＭ
４０    入出力インタフェース部
４１    バス
５１    コントローラ
５２    ディスプレイ
５２Ａ  表示画面
５３    ＩＣタグリーダ
５４    無線通信インタフェース部
５４Ａ  外部アンテナ
５５    入出力インタフェース部
ＡＲ    搬入エリア
ＭＧ    医療品
ＭＳＧ  メッセージ
ＴＧ    ＩＣタグ
【先行技術文献】
【特許文献】
【００４６】
【特許文献１】特開２００３−６３６５４号公報
【図１】
0005523485.tif 000002
【図２】
0005523485.tif 000003
【図３】
0005523485.tif 000004
【図４】
0005523485.tif 000005
【図５】
0005523485.tif 000006
【図６】
0005523485.tif 000007
【図７】
0005523485.tif 000008
【図８】
0005523485.tif 000009
【図９】
0005523485.tif 000010